(57)【特許請求の範囲】
【請求項１】
縦方向及びそれと交差する横方向を有し、愛玩動物の身体と対向する身体対向面とその反対側に位置する非身体対向面と、腹側域と、背側域と、前記腹側域と前記背側域との間において前記縦方向へ延びる中間域と、前記中間域から前記腹側域へ延びる吸収性コアとを含む愛玩動物用の吸収性物品において、
前記縦方向へ延びる第１及び第２側縁部をさらに有し、
前記中間域には前記愛玩動物の尻尾を挿通可能な開口が位置し、前記吸収性コアは、前記開口よりも前記腹側域に位置しており、
前記第１側縁部には、前記腹側域の一方側縁部と前記背側域の一方側縁部とが互いに固定されたサイドシームが位置し、
前記第２側縁部には、前記腹側域の他方側縁部と前記背側域の他方側縁部とを分離可能に連結するための連結手段が配置され、
前記腹側域には、前記横方向へ延びる第１弾性部材が伸長状態で収縮可能に取り付けられる一方、
前記背側域には、前記第１弾性部材が配置されておらず、
前記吸収性コアの前記横方向の外側において前記縦方向に延びる両側部をさらに有し、前記両側部には前記縦方向へ延びる第２弾性部材が伸長状態で収縮可能に取り付けられ、
前記腹側域は、前記横方向へ延びる内端縁と、前記縦方向において前記内端縁と離間対向して前記横方向へ延びる外端縁とを有し、
前記連結手段は、前記腹側域に取り付けられたファスニングタブを有し、
前記第２弾性部材は、前記ファスニングタブの前記中間域側に位置する端縁を超えて前記外端縁側へ延びることを特徴とする吸収性物品。
【請求項２】
前記連結手段は、前記縦方向において前記腹側域の前記外端縁と前記開口との間に位置する請求項１に記載の吸収性物品。
【請求項３】
前記腹側域の前記内端縁は前記横方向へ直状に延び、前記中間域の両側縁は、前記縦方向へ直状に延びる請求項１又は２に記載の吸収性物品。
【請求項４】
前記腹側域を形成する腹側パネルと、前記背側域を形成する背側パネルと、前記腹側パネルと前記背側パネルとに連結して前記縦方向へ延びる、前記吸収性コアが位置する吸収性パネルとをさらに有する請求項１〜３のいずれかに記載の吸収性物品。
【請求項５】
前記腹側パネルの前記縦方向の寸法が、前記吸収性パネルの前記横方向の寸法よりも小さい請求項４に記載の吸収性物品。
【請求項６】
前記腹側域のうちの前記吸収性コアの存在する部分には、前記第１弾性部材の収縮力が作用しない非弾性域が位置する請求項１〜５のいずれかに記載の吸収性物品。
【請求項７】
前記第１側縁部には、前記腹側域の一部と前記背側域の一部とを互いに止着する止着手段が配置される請求項１〜６のいずれかに記載の吸収性物品。
【発明の詳細な説明】
【技術分野】
【０００１】
本発明は、犬や猫等の愛玩動物（ペット）の排泄物を吸収するための吸収性物品に関する。
【背景技術】
【０００２】
従来、犬や猫等の愛玩動物の身体に着用させるための吸収性物品は公知である。例えば、特許文献１には、腹側域と、背側域と、背側域と腹側域との間に位置する中間域と、透液性を有する内層シートと、不透液性を有する外層シートと、内外層シート間に介在された吸収性コアとを有し、腹側域の両側縁部と背側域の両側縁部とがシールされてウエスト開口と一対のレッグ開口とが画成された愛玩動物用の吸収性物品（いわゆるプルオン型）が開示されている。
【０００３】
特許文献２には、透液性の内層シートと、不透液性の外層シートと、内外層シート間に介在された吸収性コアとを有し、愛玩動物の胴回りに巻き付けるように着用させる愛玩動物用の吸収性物品（いわゆる開放型）が開示されている。
【先行技術文献】
【特許文献】
【０００４】
【特許文献１】特開２０１２−２０５５６１号公報（Ｐ２００３−２０５５６１Ａ）
【特許文献２】特開２０１３−９６５７号公報（Ｐ２０１３−９６５７Ａ）
【発明の概要】
【発明が解決しようとする課題】
【０００５】
特許文献１に開示された愛玩動物用の吸収性物品は、主として雌用であって、腹側域の両側縁部と背側域の両側縁部とがシールされていることから、立位状態の愛玩動物に対してレッグ開口に両方の後肢をほぼ同時に挿通して着用させることによって、臀部全体が被覆されて、排尿を吸収、保持することができる。
【０００６】
特許文献２に開示された愛玩動物用の吸収性物品は、主として雄用であって、胴回りに巻き付けた状態で両端部分を互いに止着することによって、排泄口を被覆した状態で着用させることができ、排泄物の漏れを防止することができる。
【０００７】
しかし、愛玩動物は、仰向けになったり、立位状態において両方の後肢を持ち上げられることを嫌がる傾向にあり、これらの吸収性物品を着用する際に、後肢を動かして操作者が着用操作をし難くなることがある。特に、愛玩動物の後肢は、踵部（手根球）が甲部よりも上方に位置して後方へ突出していることから、プルオン型の吸収性物品のレッグ開口に後肢を挿通し難い。
【０００８】
本発明は、従来の愛玩動物用の吸収性物品の改良であって、着用操作を比較的に容易に行うことのできる愛玩動物用の吸収性物品の提供を課題にしている。
【課題を解決するための手段】
【０００９】
前記課題を解決するために、本発明は、縦方向及びそれと交差する横方向を有し、愛玩動物の身体と対向する身体対向面とその反対側に位置する非身体対向面と、腹側域と、背側域と、前記腹側域と前記背側域との間において前記縦方向へ延びる中間域と、前記中間域から前記腹側域へ延びる吸収性コアとを含む愛玩動物用の吸収性物品に関する。
【００１０】
本発明に係る愛玩動物用の吸収性物品は、前記縦方向へ延びる第１及び第２側縁部をさらに有し、前記中間域には前記愛玩動物の尻尾を挿通可能な開口が位置し、前記吸収性コアは、前記開口よりも前記腹側域に位置しており、前記第１側縁部には、前記腹側域の一方側縁部と前記背側域の一方側縁部とが互いに固定されたサイドシームが位置し、前記第２側縁部には、前記腹側域の他方側縁部と前記背側域の他方側縁部とを分離可能に連結するための連結手段が配置され、前記腹側域には、前記横方向へ延びる第１弾性部材が伸長状態で収縮可能に取り付けられる一方、前記背側域には、前記第１弾性部材が配置されておらず、前記吸収性コアの前記横方向の外側において前記縦方向に延びる両側部をさらに有し、前記両側部には前記縦方向へ延びる第２弾性部材が伸長状態で収縮可能に取り付けられ、前記腹側域は、前記横方向へ延びる内端縁と、前記縦方向において前記内端縁と離間対向して前記横方向へ延びる外端縁とを有し、前記連結手段は、前記腹側域に取り付けられたファスニングタブを有し、前記第２弾性部材は、前記ファスニングタブの前記中間域側に位置する端縁を超えて前記外端縁側へ延びることを特徴とする。
【００１２】
本発明に係る愛玩動物用の吸収性物品の他の実施態様の一つにおいて、前記中間域には、前記愛玩動物の尻尾を挿通可能な開口が位置し、前記連結手段は、前記縦方向において前記腹側域の外端縁と前記開口との間に位置する。
【００１４】
本発明に係る愛玩動物用の吸収性物品のさらに他の実施態様の一つにおいて、前記腹側域の内端縁は前記横方向へ直状に延び、前記中間域の両側縁は、前記縦方向へ直状に延びる。
【００１５】
本発明に係る愛玩動物用の吸収性物品のさらに他の実施態様の一つにおいて、前記腹側域を形成する腹側パネルと、前記背側域を形成する背側パネルと、前記腹側パネルと前記背側パネルとに連結して前記縦方向へ延びる、前記吸収性コアが位置する吸収性パネルとをさらに有する。
【００１６】
本発明に係る愛玩動物用の吸収性物品のさらに他の実施態様の一つにおいて、前記腹側パネルの前記縦方向の寸法が、前記吸収性パネルの前記横方向の寸法よりも小さい。
【００１７】
本発明に係る愛玩動物用の吸収性物品のさらに他の実施態様の一つにおいて、前記腹側域のうちの前記吸収性コアの存在する部分には、前記第１弾性部材の収縮力が作用しない非弾性域が位置する。
【００１８】
本発明に係る愛玩動物用の吸収性物品のさらに他の実施態様の一つにおいて、前記第１側縁部には、前記腹側域の一部と前記背側域の一部とを互いに止着する止着手段が配置される。
【発明の効果】
【００２０】
本発明の１つ以上の実施の形態に係る愛玩動物用の吸収性物品は、腹背側域の両側縁部どうしを連結してなる第１及び第２側縁部において、第１側縁部がサイドシームによって予め連結されていることによって、レッグ開口に一方の後肢を挿通することができる一方、第２側縁部では腹側域の側縁部と背側域の側縁部とが固定されていないことから、愛玩動物が立位状態であっても、スムーズに着用操作を行うことができる。
【００２１】
請求項２に係る発明では、連結手段がファスニングタブを有するものであるから、連結操作が容易である。
【００２２】
請求項３に係る発明では、連結手段が腹側域の外端縁と尻尾を挿通する開口との間に位置することから、それが背側域に位置する場合に比して、着用操作中にファスニングタブを摘持し易く、安定的に掛け止め域を止着することができる。
【００２３】
請求項４に係る発明では、腹側域に横方向へ延びる第１弾性部材が配置されていることによって、腹側域が愛玩動物の身体にフィットされる。
【００２４】
請求項５に係る発明では、腹側域の内側縁が横方向へ直状に延び、中間域の両側縁が縦方向へ直状に延びていることから、レッグ開口の上端縁においてそれらが互いに直交しており、歩行時等において後肢の付け根が吸収性物品の一部に当たることを抑制することができる。
【００２５】
請求項７に係る発明では、腹側パネルの縦方向の寸法が、吸収性パネルの横方向の寸法よりも小さいことから、腹側パネルが比較的に小さく、愛玩動物の歩行時等において後肢の付け根が腹側パネルに触れて、愛玩動物が後肢を動かし難くなることはない。
【００２６】
請求項８に係る発明では、腹側域のうちの吸収性コアの存在する部分において第１弾性部材の収縮力が作用しない非弾性域が位置することから、吸収性コアにその吸液性能を低下させるような皺が生じるのを抑制することができる。
【００２７】
請求項９に係る発明では、第１側縁部に腹側域の一部と背側域の一部とを互いに止着するために止着手段が位置することから、第１側縁部側において第２側縁部側と同様に、背腹側域の側縁部を互いに引き寄せて身体にフィットさせることができる。
【００２８】
請求項１０に係る発明では、吸収性コアの横方向の外側において縦方向へ延びる両側部において、縦方向へ延びる第２弾性部材が配置されていることから、両側部が身体にフィットされて排泄物の横漏れを防止しうる。
【図面の簡単な説明】
【００２９】
図面は、本発明の特定の実施の形態を示し、発明の不可欠な構成ばかりでなく、選択的及び好ましい実施の形態を含む。
【図１】本発明の第１実施形態に係る愛玩動物用の吸収性物品の斜視図。
【図２】各弾性部材の最大伸長時（弾性材料の収縮作用によるギャザーがなくなる程度）まで縦方向及び幅方向に伸展した吸収性物品の一部破断展開平面図。
【図３】図２のＩＩＩ−ＩＩＩ線に沿う断面図。
【図４】吸収性物品を着用した愛玩動物を一方側面側から視た図。
【図５】吸収性物品を着用した愛玩動物を他方側面側から視た図。
【図６】（ａ）〜（ｃ）愛玩動物に吸収性物品を着用させる操作の様子を示す図。
【図７】第２実施形態に係る愛玩動物用の吸収性物品の図２と同様の展開平面図。
【図８】第２実施形態に係る愛玩動物用の吸収性物品を着用した愛玩動物を一方側面側から視た図。
【発明を実施するための形態】
【００３０】
下記の各実施の形態は、図１〜図８に示す愛玩動物用の吸収性物品に関し、発明の不可欠な構成ばかりではなく、選択的及び好ましい構成を含む。
【００３１】
＜第１実施形態＞
図１〜図４を参照すると、愛玩動物（ペット）５用の吸収性物品１０は、互いに交差する縦方向Ｙ及び横方向Ｘと、横方向Ｘの寸法を２等分する縦軸Ｐと、縦方向Ｙの寸法を２等分する横軸Ｑと、愛玩動物５の身体と対向する身体対向面とその反対側に位置する非身体対向面とを有する。
【００３２】
吸収性物品１０は、さらに、環状のウエストパネル１１と、ウエストパネル１１の身体対向面に取り付けられた吸収性パネル１２と、腹側域１３と、背側域１４と、腹側域１３と背側域１４との間を縦方向Ｙに延びる中間域１５とを含む。ウエストパネル１１は、腹側域１３を形成する腹側パネル１６と、背側域１４を形成する背側パネル１７とから構成される。
【００３３】
腹側パネル１６と背側パネル１７とは、それぞれ、吸収性パネル１２と交差し、横方向Ｘへ延びる内端縁１６ａ，１７ａと、縦方向Ｙにおいて内端縁１６ａ，１７ａと離間対向して横方向Ｘへ延びる外端縁１６ｂ，１７ｂと、内外端縁１６ａ，１６ｂ，１７ａ，１７ｂ間において縦方向Ｙへ延びる両側縁１６ｃ，１６ｄ，１７ｃ，１７ｄとによって画定された横長矩形状を有する。腹側パネル１６の一方の側縁部（腹側域１３の一方の側縁部１８Ａ）と背側パネル１７の一方の側縁部（背側域１４の一方の側縁部１９Ａ）とは、互いに重ね合わされて、縦方向Ｙに断続的に並ぶサイドシーム２０によって連結されている。サイドシーム２０は、公知の接合手段、例えば、熱エンボス加工、ソニック加工等の各種の熱溶着手段によってなされる。
【００３４】
一方、腹側域１３の他方の側縁部１８Ｂと背側域１４の他方の側縁部１９Ｂとは互いに予め連結されておらず、腹側域１３の側縁部１８Ｂの非身体対向面には、側縁部１８Ｂと側縁部１９Ｂとを分離可能に連結するためのファスニングタブ（連結手段）７０が取り付けられている。吸収性物品１０は、腹側域１３の側縁部１８Ａと背側域１４の側縁部１９Ａとがサイドシーム２０によって予め接合された第１側縁部３１と、腹側域１３の側縁部１８Ｂと背側域１４の側縁部１９Ｂとがファスニングタブ７０によって分離可能に互いに連結された第２側縁部３２とを有する。図１を参照すると、第１及び第２側縁部３１，３２において両側縁部１８Ａ，１８Ｂ，１９Ａ，１９Ｂが連結されることによって、ウエスト開口２１と一対のレッグ開口２２とが画成される。
【００３５】
腹側パネル１６と背側パネル１７とは、それぞれ、身体対向面側に位置する内層シート２５，２６と、非身体対向面側に位置する外層シート２７，２８とを有する。内外層シート２５，２６，２７，２８は、質量１５〜３０ｇ／ｍ２の不透液性のＳＭＳ（スパンボンド・メルトブローン・スパンボンド）繊維不織布若しくはスパンボンド不織布、または、プラスチックシートやそれらのラミネートシートとから形成される。両シート２５，２６，２７，２８は、少なくともいずれか一方の内面に断続的に塗布されたホットメルト接着剤又は前記熱溶着手段によって接合される。
【００３６】
腹側パネル１６には、両シート２５，２７間において横方向Ｘへ延びる複数条のストランド状又はストリング状の第１弾性部材４１が伸長状態で収縮可能に配置される。腹側パネル１６は、第１弾性部材４１が配置されることによって、少なくとも横方向Ｘへ弾性化されている。なお、両シート２５，２７は、第１弾性部材４１のほぼ全周に塗布したホットメルト接着剤を介してのみ互いに接合されていてもよい。
【００３７】
第１弾性部材４１は、腹側パネル１６の外端縁（腹側域１３の外端縁）１６ｂに沿って横方向Ｘへ延びる複数条の外側弾性部材４１Ａと、外側弾性部材４１Ａの縦方向Ｙの内側において横方向Ｘへ延びる複数条の内側弾性部材４１Ｂとから構成される。内側弾性部材４１Ｂは、腹側パネル１６の両側縁１６ｃ，１６ｄから吸収性パネル１２に位置する後記の吸収性コア６０の両側縁６０ｃ，６０ｄまで延びており、吸収性コア６０と平面視において（厚さ方向において）重なっていない。したがって、腹側パネル１６は、第１弾性部材４１の収縮力が作用する弾性域と、かかる収縮力が作用していない、吸収性コア６０の存在域からなる非弾性域とを有する。このように、第１弾性部材４１（内側弾性部材４１Ｂ）の収縮力が吸収性コア６０に直接作用しないことによって、吸収性コア６０にその吸収性能を低下させるようなギャザーやよれが生じるのを抑制することができる。
【００３８】
吸収性パネル１２は、縦長の略矩形状であって、腹側パネル１６の身体対向面に取り付けられた前端部１２Ａと、背側パネル１７の身体対向面に取り付けられた後端部１２Ｂと、前後端部１２Ａ，１２Ｂ間において縦方向Ｙへ延びる中間部１２Ｃとを有する。また、吸収性パネル１２は、被覆シート５０と、被覆シート５０の身体対向面（内面）に配置された吸収性コア６０と、吸収性コア６０を包被する透液性シートから形成された身体側ライナー６１と、吸収性コア６０と被覆シート５０との間に位置する防漏シート６２とを有する。本実施形態において、吸収性物品１０は、３つの別体のパネル部材１２，１６，１７から構成されているが、後記の本発明の効果を奏する限りにおいて、本発明の吸収性物品１０は、腹側域１３と背側域１４とが別体ではなく一体の環状パネルから形成されていてもよいし、腹背側域１３，１４と中間域１５とが、一体に形成されたシャーシから構成されてもよい。
【００３９】
吸収性コア６０は、両端縁６０ａ，６０ｂと、それらの間において縦方向Ｙへ延びる、凹曲状の両側縁６０ｃ，６０ｄとから外形輪郭をなし、不水溶性かつ自己質量の１０倍以上の吸水力を有するいわゆる高吸収性ポリマー（ＳＡＰ）粒子、木材フラッフパルプ、オプションとして熱可塑性繊維を僅かに含む混合物から形成される。吸収性コア６０は、親水性かつ液拡散性を有する不織布又はティッシュペーパから形成されたコアカバーシート（図示せず）によって包被される。コアカバーシートは、身体側ライナー６１及び／又は防漏シート６２とホットメルト接着剤を介して接合される。
【００４０】
被覆シート５０は、吸収性コア６０が配置された中央部５１と、中央部５１の両側に位置する両側部５２とを有する。両側部５２は、それぞれ、横方向Ｘの内側に折り曲げられており、中央部５１に固定された両端固定部と、両端固定部間において縦方向Ｙへ延び、かつ、中央部５１及び防漏シート６２に固定された固定側部（近位部）５５と、固定側部５５の横方向Ｘの内側（又は外側）に位置する自由部（遠位部）５６とを有する。自由部５６は、被覆シート５０の側縁部を折り曲げて形成されたスリーブ状の自由縁部５６ａを有し、自由縁部５６ａの内部にはカフ弾性体５８が伸長状態で収縮可能に取り付けられる。吸収性物品１０の着用状態において、カフ弾性体５８が収縮して自由部５６が身体側ライナー６１から起立し、排泄物の横漏れを抑制しうる防漏カフスが形成される。
【００４１】
図２及び３を参照すると、吸収性コア６０の両側縁６０ｃ，６０ｄの横方向Ｘの外側に位置する両側部５２の一部であって被覆シート５０の固定側部５５には、縦方向Ｙへ延びる第２弾性部材４２が伸長状態で収縮可能に取り付けられている。このように、第２弾性部材４２が両側部５２に取り付けられていることによって、両側部５２には第２弾性部材４２の収縮力が作用する縦方向Ｙへ伸縮可能なサイド弾性域が形成される。両側部５２にサイド弾性域が位置することによって、後肢７の大腿部にフィットされるので、後肢７の動きによって両側部５２が位置ずれして排泄物が横漏れをするのを抑制することができる。
【００４２】
図１及び２を参照すると、吸収性物品１０の第２側縁部３２を形成する腹側域１３の側縁部１８Ｂの身体対向面には、ファスニングタブ７０の固定部７１が取り付けられている。ファスニングタブ７０は、固定部７１と、腹側域１３の側縁（腹側パネル１６の側縁１６ｃ）から横方向Ｘの外側へ延出する自由部７２とを有し、自由部７２の身体対向面側には、掛け止め域７３が位置する。掛け止め域７３は、背側域１４の側縁部１９の外面に係脱可能に止着しうるメカニカルファスナのフック群等からなるファスニング要素とファスニング要素をファスニングタブ７０のテープ基材に固定するためのフックシートとから構成されている。
【００４３】
掛け止め域７３のファスニング要素は、背側域１４の外面を形成する繊維不織布製の外層シート２８に掛け止めることができるものであるが、安定的に掛け止めするために、その外面にメカニカルファスナのループ要素を有するランディングシートを配置してもよい。また、外層シート２８が複数のシート層から形成されて、最外層のシートがプラスチックフィルムからなる場合には、掛け止め域７３のファスニング要素としてフックシートに替わって粘着剤を用いることが好ましい。ファスニングタブ７０の固定部７１は、側縁部１８Ｂの外面に固定するほかに、側縁部１８Ｂを形成する内外層シート２５，２７間に介在して固定してもよいし、側縁部１８Ｂの身体対向面に固定してもよい。掛け止め域７３から横方向Ｘの外側へ延びる、ファスニングタブ７０の摘持部は、摘持が容易であって、摘持したときに指先が掛け止め域７３に当接しない程度の大きさを有することが好ましい。また、ファスニングタブ７０は、単数ではなく複数配置されていてもよいし、比較的に幅広であって、側縁部１８Ｂの縦方向Ｙの寸法全体に延びる大きさを有していてもよい。また、ファスニングタブ７０は、弾性伸縮可能であってもよいし、展開可能に複数に折曲された状態で側縁部１８Ｂに固定されていてもよいし、自由部７２が複数に分割可能であって複数の掛け止め域７３を有していてもよい。
【００４４】
図２を参照すると、中間域１５において、吸収性物品１０の愛玩動物５の尻尾６と対向する部分には、愛玩動物５の尻尾を挿通する開口（尻尾開口）を形成するための略Ｕ字状の切断ライン８０（ミシン目）が配置される。切断ライン８０は、吸収性物品１０の平面視において互いに重なる身体側ライナー６１、防漏シート６２及び被覆シート５０を貫通する。切断ライン８０は、防漏カフスを形成する自由縁部５６ａ間に位置しており、着用状態において防漏カフスが起立して尻尾６に当接し、尻尾６の動きによってそれが開口から抜け出たりするのを抑制しうる。また、吸収性コア６０は、尻尾６を挿通する開口よりも腹側域１３側に位置している。具体的には、吸収性コア６０の後端縁６０ｂは開口を形成する切断ライン８０から離間しており、開口の周辺には、吸収性コア６０の不存在域が形成されている。吸収性物品１０を愛玩動物５に着用させるときには、後記のように、後肢７を第１側縁部３１側のレッグ開口に挿通させた後に開口の周辺を尻尾６に向かって引っ張ることになるので、尻尾６を挿通しやすいように開口の周辺を変形させる必要があるが、吸収性コア６０が存在する場合には、開口の周辺の剛性が比較的に高く、かかる変形がし難いおそれがある。したがって、開口の周辺にシート部材のみからなる吸収性コア６０の不存在域が位置することによって、かかる変形が容易となり、着用操作がし易くなる。
【００４５】
図４及び図５を参照すると、愛玩動物５が吸収性物品１０を着用した状態において、第１側縁部３１においては、サイドシーム２０を介して腹側域１３の側縁部１８Ａと背側域１４の側縁部１９Ａとが連結されている一方、第２側縁部３２においては、腹側域１３の側縁部１８Ｂに取り付けられたファスニングタブ７０の掛け止め域７３が背側域１４の側縁部１９Ｂの外面に止着されていることによって、両側縁部１８Ｂ，１９Ｂが連結されている。
【００４６】
通常、主として雄の愛玩動物に使用される、腹側域の両側縁部と背側域の両側縁部とをファスニングタブ等の連結手段で固定するタイプの吸収性物品を着用させる場合において、愛玩動物が立位した状態では、吸収性物品を適正に配置するために左右の両側縁部どうしをほとんど同時に連結しなければならず、操作者が一人で着用操作を行うのは困難である。一方、安定的に着用操作を行うために、愛玩動物を仰向けの状態にしたときには、愛玩動物がかかる姿勢になるのを嫌がって、後肢を動かす等してスムーズに着用させることができない。
【００４７】
また、主として雌の愛玩動物に使用される、腹側域の両側縁部と背側域の両側縁部とがサイドシームで予め連結されているタイプの吸収性物品を着用させる場合において、愛玩動物が立位した状態では、後肢の踵部が甲よりも上方に位置することから、レッグ開口に後肢を挿通し難く、無理に引き上げるとレッグ開口縁部が引っ掛かって一部が破れたりするおそれがある。一方、愛玩動物を仰向けの状態にしたときには、愛玩動物がかかる姿勢になるのを嫌がるのに加えて、脚を掴まれるのを嫌がって、さらにスムーズに着用させ難くなる。また、人体と異なり、愛玩動物は立位状態及び仰臥状態のいずれにおいても、後肢が胴体に対して直交する方向へ延びていることから、レッグ開口に後肢を挿通させた後に、それと直交する方向へ吸収性物品を引っ張り上げる必要があるので、把持する部分を変える必要があり、手間である。
【００４８】
図６（ａ）〜（ｃ）は、愛玩動物に吸収性物品を着用させる操作の様子を示す図である。図６（ａ）を参照すると、まず、サイドシーム２０の位置する第１側縁部３１側のレッグ開口２２に一方の後肢７を挿通させる。このとき、第２側縁部３２側では、腹側域１３の側縁部１８Ｂと背側域１４の側縁部１９Ｂとが連結されておらず開放状態にあることから、側縁部１８Ｂと側縁部１９Ｂとを大きく離間させるようにして開くことができる。図６（ｂ）を参照すると、次に、中間域１５を尻部に宛がって、予め破断した切断ライン８０によって形成された尻尾開口に尻尾６を挿通させる。
【００４９】
図６（ｃ）を参照すると、このように、第１側縁部３１側のレッグ開口２２に後肢７を挿通させ、かつ、尻尾開口に尻尾６を挿通させた状態から背側域１４を愛玩動物の背部に配置し、それを一方の手で抑えたまま他方の手でファスニングタブ７０の摘持部を摘持し、腹側域１３を背部側に引っ張り上げて側縁部１８Ｂと側縁部１９Ｂとを重ね合わせる。最後に、摘持したファスニングタブ７０の自由部７２を側縁部１９の外面に指で押し当てて掛け止め域７３を掛止する。
【００５０】
かかる一連の着用操作においては、第２側縁部３２が開放された状態にあることから第１側縁部３１側のレッグ開口に後肢７を挿通し易く、また、第２側縁部３２の連結操作を行う際にも、先に尻尾孔に尻尾を挿通することによって、たとえ愛玩動物が後肢７を把持されるのを嫌がるような動作をしても、吸収性物品１０がずり下がったりずり落ちたりして身体から離間することはなく、操作者は両手でスムーズに着用操作をすることができる。
【００５１】
再び、図２を参照すると、吸収性物品１０は、矩形のウエストパネル１１と矩形の吸収性パネル１２とから構成されており、腹側域１３の内端縁１６ａは横方向Ｘへ直状に延び、中間域１５の両側縁（吸収性パネル１２の両側縁）は縦方向Ｙへ直状に延びており、それらが互いに直交している。内端縁１６ａ及び又は吸収性パネル１２の両側縁が曲状をなして連なっている場合には、歩行時に前後に移動する後肢７の付け根が該曲状を有する部分に当接して歩行の妨げとなるおそれがあるが、本実施形態に係る吸収性物品１０のように、それらが直交する場合には、後肢７の付け根近傍にウエストパネル１１及び吸収性パネル１２が位置していないので、後肢７が前後に移動したときに吸収性物品１０の一部が当接してその歩行を妨げるおそれはない。また、腹側パネル１６の縦方向Ｙの寸法（腹側域１３の側縁１６ｃの縦方向Ｙの寸法）は、吸収性パネル１２の横方向Ｘの寸法よりも小さくなっている。通常の吸収性物品においては、腹部全体を腹側域１３で覆うことのできるように前者が後者よりも大きくなるところ、前者が後者よりも小さく、言い換えれば、吸収性物品１０のサイズ的に腹側域１３の縦方向の寸法は小さいことから、後肢７の付け根に腹側域１３が触れることはなく、その歩行が妨げられたりするおそれはない。
【００５２】
また、ファスニングタブ７０は、腹側域１３の外端縁１６ｂと尻尾開口との間に位置している。図６（ｂ）を参照すると、吸収性物品１０の着用操作中において、第２側縁部３２を形成する腹側域１３の側縁部１８Ｂと背側域１４の側縁部１９Ｂとを連結するときに、ファスニングタブ７０が背側域１４に取り付けられている場合には、ファスニングタブ７０が自重によって愛玩動物５の背部から垂れ下がったような態様となるので、操作者が他方の手で摘持し難くなる。また、愛玩動物５の身体の側面で掛け止め域７３を腹側域１３の側縁部１９Ｂに押し当てることになるので、押し当て難く、また、安定的に掛け止めすることができない。本実施形態のように、ファスニングタブ７０が腹側域１３に取り付けられていることによって、操作者はファスニングタブ７０を容易に摘持することができ、掛け止め域７３を愛玩動物５の背部において背側域１４の側縁部１９Ｂに押し当てて安定的に掛け止めすることができる。
【００５３】
＜第２実施形態＞
図７は、第２実施形態に係る愛玩動物５用の吸収性物品１０の図２と同様の展開平面図、図８は、第２実施形態に係る愛玩動物５用の吸収性物品１０を着用した愛玩動物５を一方側面側から視た図である。本実施形態に係る吸収性物品１０は、第１実施形態に係る吸収性物品１０と基本的構造が同じであって、相違する点についてのみ以下に説明する。
【００５４】
本実施形態に係る吸収性物品１０では、腹側域１３の側縁部１８Ｂに取り付けられたファスニングタブ７０のほかに、第１側縁部３１を形成する腹側域１３の側縁部１８Ａに止着テープ（止着手段）９０が配置されている。止着テープ９０は、側縁部１８Ａに固定された固定部９１と、固定部９１と連続して腹側域１３の側縁１６ｄから横方向Ｘの外側へ延出した自由部９２と、自由部９２の身体対向面側に位置する掛け止め域９３とを有する。掛け止め域９３からさらに横方向Ｘの外側には、摘持部が位置する。
【００５５】
図４，図５及び図８を参照すると、第１側縁部３１では、腹側域１３の側縁部１８Ａと背側域１４の側縁部１９Ａとがサイドシーム２０を介して互いに連結されているが、第２側縁部３２がファスニングタブ７０によって腹側域１３の側縁部１８Ｂが背側域１４の側縁部１９Ｂに引き寄せられるように重ね合された状態で連結されることによってそれらが身体にフィットされるのに対し、第１側縁部３１ではサイドシーム２０によって予め側縁部１８Ａ，１９Ａが互いに接合されていることから側縁部１８Ａ，１９Ａが身体へ向かって引き寄せられることはなく、身体に対するフィット性が相対的に低くなる。それによって、吸収性物品１０の両側部間においてフィット性に差が生じることから、吸収性物品１０を適正な位置に着用させても、着用中に位置ずれが生じたり、側縁部１８Ａ，１９Ａに弛みが生じて排泄物の漏れの原因となるおそれがある。本実施形態に係る吸収性物品１０においては、操作者が吸収性物品１０を愛玩動物５に着用させた後に、止着テープ９０の自由部９２を摘持して背側域１４側へ引っ張って、掛け止め域７３を背側域１４の側縁部１９Ｂに掛け止めすることによって、第２側縁部３２側と同じように側縁部１８Ａ，１９Ａを身体にフィットさせることができ、側縁部１８Ａ，１９Ａに弛みが生じるのを抑制することができる。
【００５６】
また、このように、第１側縁部３１に止着テープ９０を取り付けることによって、吸収性物品１０全体のサイズを調整することができ、例えば、比較的に細身の愛玩動物５に対しても吸収性物品１０をフィットさせた状態で着用させることができる。止着テープ９０は、腹側域１３の側縁部１８Ａではなく、背側域１４の側縁部１９Ａに取り付けられていてもよく、単数ではなく複数配置されていてもよい。
【００５７】
吸収性物品１０を構成する部材には、特に明記されていない限りにおいて、本明細書に記載されている材料のほかに、この種の分野において通常用いられている公知の材料を制限なく用いることができる。また、本明細書において使用されている「第１」及び「第２」等の用語は、同様の要素、位置等を単に区別するために用いてある。
【符号の説明】
【００５８】
５  愛玩動物
６  尻尾
１０  愛玩動物用の吸収性物品
１２  吸収性パネル
１３  腹側域
１４  背側域
１５  中間域
１６  腹側パネル
１６ａ  腹側域の内端縁
１６ｂ  腹側域の外端縁
１７  背側パネル
１８Ａ  腹側域の一方側縁部（側縁部）
１８Ｂ  腹側域の他方側縁部（側縁部）
１９Ａ  背側域の一方側縁部（側縁部）
１９Ｂ  背側域の他方側縁部（側縁部）
２０  サイドシーム
３１  第１側縁部
３２  第２側縁部
４１  第１弾性部材
４２  第２弾性部材
６０  吸収性コア
７０  ファスニングタブ
９０  止着手段（止着テープ）
Ｘ  横方向
Ｙ  縦方向
【図１】
0006465749.tif 000002
【図２】
0006465749.tif 000003
【図３】
0006465749.tif 000004
【図４】
0006465749.tif 000005
【図５】
0006465749.tif 000006
【図６】
0006465749.tif 000007
【図７】
0006465749.tif 000008
【図８】
0006465749.tif 000009